(57)【要約】      （修正有）【課題】スパイクピンの先端で建物の床を傷つけないようにし、かつ、つるつるに滑る凍結路での転倒事故を防ぐためには極めて高いスベリ止効果があるスパイクピン及びそれを有する靴を提供する。【解決手段】歩行の際にスパイクピンの先端に体重が垂直にかかるのを防ぐために、スパイクピンの台材には薄くて強い鋼鉄の板を使用し、円形に打ち抜いてコイン型のスパイクピン（１）を創出し、次に強い制動力を持たせるために円形のスパイクピンの周囲にはノコ刃状の鋭利な突起（３）を数多く設け、スベリ止め効果を大幅にアップさせた。コイン型のスパイクピンを靴底底面（５）の主要な部分の取り付け穴（２）に固着した。靴底底面に平行に固着することにより、凍結路面で足を滑らせたときにコイン型のスパイクピンは、凍結路面と靴底に押し潰されながら逆目の原理により前後左右どちらの方向にも制動力が働き、凍結路面での転倒事故を防止する事ができる。【選択図】図３
2007296287.tif 000002
【特許請求の範囲】
【請求項１】
スパイクピンの台材には薄く延ばした鋼鉄の板を使用し、鋼鉄の板を円形に打ち抜きコイン型のスパイクピン（１）を創出した、スパイクピンの周囲にはノコ刃状の鋭利な突起（３）を数多く設けて制動力を持たせ、スパイクピン（１）を靴底の主要な部分に靴底底面（５）に対して平行に固着した事を特徴とする，スパイクピン及びスパイクピンを有する靴底。
【発明の詳細な説明】
【技術分野】
【０００１】  本発明は路面が圧雪やアイスバーンでつるつる状態の凍結路で、滑って転倒する事故を防止するためのスパイクピン及びスパイクピンを有する靴底に関するものである。
【背景技術】
【０００２】  寒さの厳しい北国では圧雪やアイスバーンで、路面がつるつるに滑る状態になる事から歩行者の転倒事故が多発します、この様な事故を防止するため靴底にスベリ止の金具やスパイクピンを設けた各種のシュウズが販売されています、しかし、建物内の歩行では床を傷つけてしまいました、そのような事からスパイクピンには傷防止のための様々な工夫が成されるようになりましたが、スベリ止効果と床の傷防止対策は相反する関係にある事から、スパイクシュウズに設けられるピンは程々のスベリ止効果と、程々の傷防止効果を合せ持つ中途半端なものになっているのです、本来目的とする歩行者の転倒事故防止対策のための機能が十分に生かしきれない現状にあります、この他にも、靴底の素材に滑りずらい物質を混入させた発砲合成樹脂やゴム等を使用したシュウズが開発されてはいますがスパイクピンの制動力には及びません、そのような事から冬期間つるつるに滑る状態の路面で、足腰の弱いお年寄りや障害を持つ人の痛々しい転倒事故は跡をたつ事がありません、完璧に転倒事故を防止する事のできるスパイクシュウズの一日も早い出現が求められています。
【特許文献１】  特開平１０−１７４６０４号広報
【特許文献２】  特開平８−２８９８０３広報
【特許文献３】  特開平８−２９４４０４広報
【発明の開示】
【発明が解決しようとする課題】
【０００３】  従来のスパイクピンはスベリ止め効果を求めるがために、靴底の最も体重がかかる主要な部分に靴底底面に対して，スパイクピンの鋭利な先端の部分が垂直に設けられていました、靴底に掛かる体重はどうしてもスパイクピンの先端に集中しますので、建物内の歩行では床に傷が付いてしまいました、本発明はスパイクピンの先端が垂直でなければスベリ止め効果が働かないと考えられていた従来の概念を改めて、スパイクピンを横に寝せることによりピンの先端の部分に直接体重がかからないようにして、体重をスパイクピンの全体に広く分散させ、ピンの先端にはスベリ止め効果が必要とされる時に、その効果が働くようにして建物の床に傷が付く事を防止しようとするものです、又、つるつるに滑る凍結路での転倒事故を防ぐためには極めて高いスベリ止め効果が求められますので、従来の様に棒状のスパイクピンの先端にのみ制動作用を働かせるだけでなく、一個のスパイクピンに鋭利な突起を数多く設ける事によりピンの先端と氷の表面との接点を増やしスベリ止め効果を飛躍的に向上させ様とするものです、
【課題を解決するための手段】
【０００４】  靴底に設けたスパイクピンが、凍結路面をしっかりと捕らえて高いスベリ止効果を発揮するためには、スパイクピンの先端が鋭利でありその数が多いほど効果は大きくなります、この事から本発明のスパイクピンは、素材に薄くて強い鋼鉄の板を使用し、図１で示すように円形に打ち抜きコイン型のスパイクピン（１）を創出した、スパイクピンの周囲には鋭利なノコ刃状の突起（３）を数多く設ける事によりスベリ止効果を増大させました、この様に創出したスパイクピン（１）は、靴底底面（５）の主要な部分に図３で示すように、あらかじめスパイクピン（１）に設けた取り付け穴（２）を介して靴底に固着します、したがってスパイクピンは図２で示すように靴底底面（５）より少し顔を出すような状態で、靴底底面に対して平行に取り付けられます、通常の歩行では靴底にかかる体重の移動は、踵部（６）からつま先へと移動しますので、スパイクピン（１）は靴底に潰されながら、かかる体重をコイン状のスパイクピン（１）全体で受け止めます、体重はスパイクピン（１）の周囲に設けた鋭利なノコ刃状の突起（３）に垂直に掛かることはありませんので、建物内の歩行によって床に傷を付けることが避けられるのです、凍結路面での歩行においてはスパイクピン（１）は、路面と靴底底面（５）の間に挟まった状態で強く体重がかかっておりますので足を滑らせたときに、スパイクピン（１）の周囲のノコ刃状の突起（３）は逆目の原理が働きますので氷の表面をしっかりと捕らえ制動力を発揮します、一本のスパイクピン（１）の周りにはノコ刃状の鋭利な突起（３）が数多く設けられていますから、極めて高いスベリ止効果が得られるのです、
【発明の効果】
【０００５】  発明の効果を箇条書きに整理すると次の５項目にまとめる事が出来る、【０００６】  ▲１▼コイン型のスパイクピン（１）は周囲に鋭利なノコ刃状の突起（３）を数多く設けた事から、つるつるに滑る状態の凍結路で足を滑らせたときに氷の表面を円形に幅広く捕らえて極めて高い制動力を発揮します、【０００７】  ▲２▼コイン型のスパイクピン（１）の鋭利なノコ刃状の突起（３）には、垂直に体重がかかる事がないので突起の先端は、歩行による摩耗によってスベリ止の効果が減じることがない、【０００８】  ▲３▼コイン型のスパイクピン（１）は靴底底面に対して平行に設けられているので、歩行の際にかかる体重がスパイクピン（１）全体に分散され、鋭利な突起（３）の先端には体重が集中して掛かることがないので建物内の歩行により床を傷つけることはありません、【０００９】  ▲４▼スパイクピン（１）は、靴底底面（５）に平行に固着されますから、スパイクピンの取り付け部が痛んで水が染み込んだり、スパイクピン特有の靴底がピンで突き上げられる違和感が少なく履きやすいシュズを提供する事ができます、【００１０】  ▲５▼円形で周囲にノコ刃状の突起（３）を数多く設けたスパイクピン（１）は、氷の表面を幅広く捕らえて前後左右どの方向に対しても強いスベリ止効果を発揮します、
【発明を実施するための最良の形態】
【実施例１】
【００１１】  建物内の歩行においては靴底に体重がかかると、コイン状のスパイクピン（１）の全体に体重が分散されますので、スパイクピン（１）のノコ刃状の鋭利な突起（３）の先端には直接体重が垂直にかかる事はありません、よって建物の床に傷を付ける事が避けられますので歩行者は安心して建物の中を歩くことができます、凍結路において氷の表面に足を滑らせるとコイン型のスパイクピン（１）には逆目の原理が働きますので強い制動力を発揮するとともに、周囲に設けられている鋭利な突起（３）の数の多さにより幅広く強力なスベリ止め効果を発揮します、スパイクピン（１）の鋭利な突起（３）は靴底に垂直にかかる力に対しては何の反応もしませんが、靴底が左右前後に滑る力に対しては瞬時に強力なスベリ止め機能を発揮するのです、つまり、スパイクピン（１）は、通常の歩行では働きを休止し、靴底が滑った時のみ働きをする使い分けが出来るのです、歩行者がつるつるに滑る状態の凍結路面で転倒する姿を良く観察すると、足を前に一歩踏み出して靴底が氷の表面に触れ、体重が前方に移動した時に足を滑らし体のバランスを崩します、身体が柔らかく俊敏な若い人は踏みこたえて体制を整えることができますが、多くの人は転倒してしまうのです、時にはあお向けに倒れ後頭部を打ったり腰や足を骨折する大事故になるのです、本発明のスパイクピン（１）を有する靴底は、円形のスパイクピン（１）の周囲にノコ刃状の鋭利な突起（３）を数多く設けたので，ピンの先端と氷の表面との接点が円を描いて多くなり前後左右どの方向にもスベリ止の効果が発揮され転倒事故を防ぐことが出来るのです。
【産業上の利用可能性】
【００１２】  北国の冬道は雪が多いために歩道と車道の区別がなくなります、歩行者は車道を歩がざるを得ません、近年スタッドレスタイヤの普及により道は圧雪となります、その表面は見事なまでにツルツルの滑りやすい状態になり歩行者の転倒事故が続発するのです、特に足腰の弱いお年寄りや障害のある人は、歩くことすら困難となり戸外に出ることをためらいます、本発明のスパイクピン（１）を有する靴底は、スベリ止効果が極めて高いので凍結路面を恐怖心をもたずに誰もが安心して歩く事ができます、又、建物内ではスパイクピンによって床が傷つけられる事がありません、コイン型のスパイクピン（１）は、靴底底面（５）に平行して固着されていますから靴底がスパイクピンで突き上げられる特有の違和感もなく、履き心地も滑らかで凍結路を安心して歩く事ができるスパイクシュウズを提供する事が出来ます。
【図面の簡単な説明】
【００１３】
【図１】  スパイクピン（１）の平面図
【図２】  スパイクピン（１）を有する靴の断面図
【図３】  スパイクピン（１）を有する靴底底面の平面図
【符号の説明】
【００１４】  １    スパイクピン
２    取り付け穴
３    突起
４    靴
５    靴底底面
６    踵部
【図１】
2007296287.tif 000003
【図２】
2007296287.tif 000004
【図３】
2007296287.tif 000005